【手続補正書】
【提出日】平成17年7月28日(2005.7.28)
【手続補正１】
【補正対象書類名】明細書
【補正対象項目名】特許請求の範囲
【補正方法】変更
【補正の内容】
【特許請求の範囲】
【請求項１】
第１のデータ列を第２のデータ列に変換するデータ変換方法において、
前記第１のデータ列に含まれている第１のデータを第２のデータに置き換える置き換えステップと、
前記置き換えステップの処理により生成されたデータを用いて、前記第２のデータ列を生成する第１の生成ステップと、
前記第２のデータ列の少なくとも一部の使用を許可する１以上の条件を示す情報と、各条件に基づいて使用が許可された前記第２のデータ列の少なくとも一部を示す情報とを含む第１の使用許可情報を、前記第２のデータ列に付加する使用許可情報付加ステップと
を含み、
前記第２のデータ列が使用される場合、前記第１の使用許可情報に基づいて、前記第２のデータ列のうち使用が許可されたデータが使用される
ことを特徴とするデータ変換方法。
【請求項２】
前記第２のデータ列に、前記第１のデータ列に含まれない第３のデータ列を追加する追加ステップを更に含み、
前記使用許可情報付加ステップの処理では、前記第３のデータ列が追加された前記第２のデータ列の少なくとも一部の使用を許可する１以上の条件を示す情報と、各条件に基づいて使用が許可された前記第３のデータ列が追加された前記第２のデータ列の少なくとも一部を示す情報とを含む前記第１の使用許可情報を、前記第３のデータ列が追加された前記第２のデータ列に付加する
ことを特徴とする請求項１に記載のデータ変換方法。
【請求項３】
前記第１の生成ステップの処理により生成された前記第２のデータ列を前記第１のデータ列に復元するために必要な第４のデータ列を生成する第２の生成ステップを更に含み、
前記第２の生成ステップの処理により生成される前記第４のデータ列は、前記置き換えステップの処理により前記第２のデータに置き換えられた前記第１のデータを復元するためのデータを含む
ことを特徴とする請求項１に記載のデータ変換方法。
【請求項４】
前記使用許可情報付加ステップの処理では、前記第１の使用許可情報を暗号化して、前記第２のデータ列に付加する
ことを特徴とする請求項１に記載のデータ変換方法。
【請求項５】
前記条件は、前記第２のデータ列の使用回数を示す情報、前記第２のデータ列の使用期限を示す情報、前記第２のデータ列の使用期間を示す情報、または前記第２のデータ列の使用時間を示す情報のうちの少なくとも一つを含む
ことを特徴とする請求項１に記載のデータ変換方法。
【請求項６】
前記置き換えステップの処理では、前記第２のデータ列が再生される場合に前記第１のデータ列よりも再生品質が劣化するように、前記第１のデータを前記第２のデータに置きかえる
ことを特徴とする請求項１に記載のデータ変換方法。
【請求項７】
入力されたデータを符号化する符号化ステップを更に含み、
前記置き換えステップの処理では、前記符号化ステップの処理により符号化された符号化データを前記第１のデータ列として、前記第１のデータを前記第２のデータと置き換える
ことを特徴とする請求項１に記載のデータ変換方法。
【請求項８】
入力されたデータを周波数成分に変換する周波数成分変換ステップと、
前記周波数成分変換ステップの処理により周波数成分に変換された前記データを符号化する符号化ステップと
を更に含み、
前記置き換えステップの処理では、前記符号化ステップの処理により符号化された符号化データを前記第１のデータ列として、前記第１のデータを前記第２のデータと置き換え、
前記置き換えステップの処理により前記第２のデータに置き換えられる前記第１のデータは、前記周波数成分変換ステップの処理により変換された周波数成分のスペクトル係数情報を含む
ことを特徴とする請求項１に記載のデータ変換方法。
【請求項９】
前記第１のデータ列および前記第２のデータ列は、音声データを含む
ことを特徴とする請求項１に記載のデータ変換方法。
【請求項１０】
第１のデータ列を第２のデータ列に変換するデータ変換装置において、
前記第１のデータ列に含まれている第１のデータを第２のデータに置き換える置き換え手段と、
前記置き換え手段により生成されたデータを用いて、前記第２のデータ列を生成する生成手段と、
前記第２のデータ列の少なくとも一部の使用を許可する１以上の条件を示す情報と、各条件に基づいて使用が許可された前記第２のデータ列の少なくとも一部を示す情報とを含む使用許可情報を、前記第２のデータ列に付加する使用許可情報付加手段と
を備え、
前記第２のデータ列が使用される場合、前記使用許可情報に基づいて、前記第２のデータ列のうち使用が許可されたデータが使用される
ことを特徴とするデータ変換装置。
【請求項１１】
第１のデータ列を第２のデータ列に変換するデータ変換装置を制御するコンピュータが実行可能なプログラムであって、
前記第１のデータ列に含まれている第１のデータを第２のデータに置き換える置き換えステップと、
前記置き換えステップの処理により生成されたデータを用いて、前記第２のデータ列を生成する生成ステップと、
前記第２のデータ列の少なくとも一部の使用を許可する１以上の条件を示す情報と、各条件に基づいて使用が許可された前記第２のデータ列の少なくとも一部を示す情報とを含む使用許可情報を、前記第２のデータ列に付加する使用許可情報付加ステップと
を含み、
前記第２のデータ列が使用される場合、前記使用許可情報に基づいて、前記第２のデータ列のうち使用が許可されたデータが使用される
ことを特徴とするプログラム。
【請求項１２】
第１のデータ列を再生または記録するデータ処理方法において、
前記第１のデータ列の少なくとも一部の再生または記録を許可する１以上の条件を示す情報と、各条件に基づいて再生または記録が許可された前記第１のデータ列の少なくとも一部を示す情報とを含む使用許可情報を管理する使用許可情報管理ステップと、
前記使用許可情報に基づいて、前記第１のデータ列のうち再生または記録が許可されたデータを再生または記録するデータ処理ステップと
を含むことを特徴とするデータ処理方法。
【請求項１３】
前記第１のデータ列は、第２のデータ列を含み、
前記使用許可情報管理ステップの処理では、前記第２のデータ列を含む前記第１のデータ列の少なくとも一部の再生または記録を許可する１以上の条件を示す情報と、各条件に基づいて再生または記録が許可された前記第２のデータ列を含む前記第１のデータ列の少なくとも一部を示す情報とを含む前記使用許可情報を管理し、
前記データ処理ステップの処理では、前記第２のデータ列を含む前記第１のデータ列を再生または記録する場合に、前記使用許可情報に基づいて、前記第２のデータ列を含む前記第１のデータ列のうち再生または記録が許可されたデータを再生または記録する
ことを特徴とする請求項１２に記載のデータ処理方法。
【請求項１４】
第３のデータ列に基づいて、前記第１のデータ列に含まれている第１のデータを第２のデータに置き換える置き換えステップと、
前記置き換えステップの処理により生成されたデータを用いて、第４のデータ列を生成する生成ステップとを更に含み、
前記使用許可情報管理ステップの処理では、前記第３のデータ列に付加された、前記第４のデータ列の少なくとも一部の再生または記録を許可する１以上の条件を示す情報と、各条件に基づいて再生または記録が許可された前記第４のデータ列の少なくとも一部を示す情報とを前記使用許可情報に追加して管理し、
前記データ処理ステップの処理では、前記第４のデータ列を再生または記録する場合に、前記使用許可情報に基づいて、前記第４のデータ列のうち再生または記録が許可されたデータを再生または記録する
ことを特徴とする請求項１２に記載のデータ処理方法。
【請求項１５】
前記使用許可情報は暗号化されている
ことを特徴とする請求項１２に記載のデータ処理方法。
【請求項１６】
前記条件は、前記第１のデータ列の使用回数を示す情報、前記第１のデータ列の使用期限を示す情報、前記第１のデータ列の使用期間を示す情報、または前記第１のデータ列の使用時間を示す情報の少なくとも一つを含む
ことを特徴とする請求項１２に記載のデータ処理方法。
【請求項１７】
前記第１のデータ列は、音声データを含む
ことを特徴とする請求項１２に記載のデータ処理方法。
【請求項１８】
所定のデータ列を再生または記録するデータ処理装置において、
前記所定のデータ列の少なくとも一部の再生または記録を許可する１以上の条件を示す情報と、各条件に基づいて再生または記録が許可された前記所定のデータ列の少なくとも一部を示す情報とを含む使用許可情報を管理する使用許可情報管理手段と、
前記使用許可情報に基づいて、前記所定のデータ列のうち再生または記録が許可されたデータを再生または記録するデータ処理手段と
を備えることを特徴とするデータ処理装置。
【請求項１９】
所定のデータ列を再生または記録するデータ処理装置を制御するコンピュータが実行可能なプログラムであって、
前記所定のデータ列の少なくとも一部の再生または記録を許可する１以上の条件を示す情報と、各条件に基づいて再生または記録が許可された前記所定のデータ列の少なくとも一部を示す情報とを含む使用許可情報を管理する使用許可情報管理ステップと、
前記使用許可情報に基づいて、前記所定のデータ列のうち再生または記録が許可されたデータを再生または記録するデータ処理ステップと
を含むことを特徴とするプログラム。
【手続補正２】
【補正対象書類名】明細書
【補正対象項目名】００４３
【補正方法】変更
【補正の内容】
【００４３】
本発明のデータ処理方法は、第１のデータ列の少なくとも一部の再生または記録を許可する１以上の条件を示す情報と、各条件に基づいて再生または記録が許可された前記第１のデータ列の少なくとも一部を示す情報とを含む使用許可情報を管理する使用許可情報管理ステップと、前記使用許可情報に基づいて、前記第１のデータ列のうち再生または記録が許可されたデータを再生または記録するデータ処理ステップとを含むことを特徴とする。
【手続補正３】
【補正対象書類名】明細書
【補正対象項目名】００４５
【補正方法】変更
【補正の内容】
【００４５】
本発明のデータ処理方法およびデータ処理装置、並びにプログラムにおいては、第１のデータ列の少なくとも一部の再生または記録を許可する１以上の条件を示す情報と、各条件に基づいて再生または記録が許可された第１のデータ列の少なくとも一部を示す情報とを含む使用許可情報が管理され、使用許可情報に基づいて、第１のデータ列のうち再生または記録が許可されたデータが再生または記録される。